(57)【要約】【課題】複数の端末装置からの個別画像を表示する場合に、端末装置からの指示と当該端末装置の権限に応じて個別画像のサイズを変更することが可能な表示装置等を提供すること。【解決手段】表示装置の一種であるプロジェクター１００が、複数の端末装置から個別画像を示す画像情報と、前記個別画像のサイズ変更要求を示す要求情報とを受信する表示側通信部１１０と、各端末装置の前記個別画像のサイズ変更に対する許否権限を示す権限データを記憶する記憶部１４０と、前記要求情報に基づいて当該要求情報の送信元の端末装置を識別し、前記権限データに基づいて前記送信元の端末装置の前記個別画像のサイズ変更の許否判定を行う判定部１３０と、前記許否判定と、前記画像情報とに基づいて前記個別画像を拡大し、縮小し、あるいは、変化させずに合成画像を生成する画像生成部１５０を含んで構成される。【選択図】図２
2010096973.tif 000002
【特許請求の範囲】
【請求項１】
複数の端末装置から個別画像を示す画像情報と、前記個別画像のサイズ変更要求を示す要求情報とを受信する表示側通信部と、
各端末装置の前記個別画像のサイズ変更に対する許否権限を示す権限データを記憶する記憶部と、
前記要求情報に基づいて当該要求情報の送信元の端末装置を識別し、前記権限データに基づいて前記送信元の端末装置の前記個別画像のサイズ変更の許否判定を行う判定部と、
前記許否判定と、前記画像情報とに基づいて前記個別画像を拡大し、縮小し、あるいは、変化させずに合成画像を生成する画像生成部と、
を含む、
表示装置。
【請求項２】
請求項１に記載の表示装置において、
前記権限データは、前記送信元の端末装置以外の他端末装置の前記個別画像に対するサイズ変更の許否権限を示すデータを含み、
前記判定部は、前記送信元の端末装置から前記他端末装置の前記個別画像に対するサイズ変更要求があった場合、前記権限データに基づいて前記送信元の端末装置による当該他端末装置の前記個別画像のサイズ変更の許否判定を行う、
表示装置。
【請求項３】
請求項１、２のいずれかに記載の表示装置において、
更新部を含み、
前記記憶部は、前記合成画像における各個別画像の領域を示す領域データを記憶し、
前記更新部は、前記許否判定と、前記サイズ変更要求とに応じて前記領域データにおける変更対象の個別画像の領域を更新し、あるいは、更新せず、
前記画像生成部は、前記領域データに基づいて前記合成画像を生成する、
表示装置。
【請求項４】
複数の端末装置と、表示装置とを含む表示システムにおいて、
前記表示装置は、
前記複数の端末装置から個別画像を示す画像情報と、前記個別画像のサイズ変更要求を示す要求情報とを受信する表示側通信部と、
各端末装置の前記個別画像のサイズ変更に対する許否権限を示す権限データを記憶する記憶部と、
前記要求情報に基づいて当該要求情報の送信元の端末装置を識別し、前記権限データに基づいて前記送信元の端末装置の前記個別画像のサイズ変更の許否判定を行う判定部と、
前記許否判定と、前記画像情報とに基づいて前記個別画像を拡大し、縮小し、あるいは、変化させずに合成画像を生成する画像生成部と、
前記合成画像を表示する表示部と、
を含み、
前記端末装置は、
前記画像情報を生成する画像情報生成部と、
前記要求情報を生成する要求情報生成部と、
前記画像情報および前記要求情報を前記表示装置へ向け送信する端末側通信部と、
を含む、
表示システム。
【請求項５】
表示側通信部と、記憶部とを制御するコンピューターに、
複数の端末装置から個別画像を示す画像情報と、前記個別画像のサイズ変更要求を示す要求情報とを前記表示側通信部に受信させるステップと、
各端末装置の前記個別画像のサイズ変更に対する許否権限を示す権限データを前記記憶部に記憶させるステップと、
前記要求情報に基づいて当該要求情報の送信元の端末装置を識別し、前記権限データに基づいて前記送信元の端末装置の前記個別画像のサイズ変更の許否判定を行うステップと、
前記許否判定と、前記画像情報とに基づいて前記個別画像を拡大し、縮小し、あるいは、変化させずに合成画像を生成するステップと、を実行させるプログラム。
【請求項６】
表示側通信部と、記憶部とを制御するコンピューターにより読み取り可能なプログラムを記憶した情報記憶媒体であって、請求項５に記載のプログラムを記憶した情報記憶媒体。
【発明の詳細な説明】
【技術分野】
【０００１】
本発明は、表示装置、表示システム、プログラムおよび情報記憶媒体に関する。
【背景技術】
【０００２】
例えば、特開２００４−５４７８３号公報では、複数の端末機器からサイズ変換処理されたキャプチャ画像データを受信して１画面の画像データに合成して表示する表示システムが記載されている。また、当該公報では、表示装置のリモコン（リモートコントローラー）を操作して優先度を設定することにより、特定の端末装置の画像を拡大表示したり、消去したり、追加したりすることが記載されている。
【特許文献１】特開２００４−５４７８３号公報
【発明の開示】
【発明が解決しようとする課題】
【０００３】
しかし、例えば、会議等では参加者からの要求に応じてプレゼンターがリモコンで当該参加者の画像の拡大等を行う場合、プレゼンタが、当該参加者の画像の特定、要求内容の把握、要求に応じたリモコン操作を行わなければならず、操作に時間がかかってしまう。また、上記公報では、拡大表示させる分割画面等を端末機器側からも指定することが可能であると記載されているが、具体的な手法は記載されていない。また、参加者が自由に自分の画像や他者の画像の拡大縮小を行える状態の場合、画像が頻繁に変化してしまって見づらくなる等の事態が生じる可能性がある。
【０００４】
本発明の目的は、複数の端末装置からの個別画像を表示する場合に、端末装置からの指示と当該端末装置の権限に応じて個別画像のサイズを変更することが可能な表示装置、表示システム、プログラム、情報記憶媒体および表示方法を提供することにある。
【課題を解決するための手段】
【０００５】
上記課題を解決するため、本発明に係る表示装置は、複数の端末装置から個別画像を示す画像情報と、前記個別画像のサイズ変更要求を示す要求情報とを受信する表示側通信部と、各端末装置の前記個別画像のサイズ変更に対する許否権限を示す権限データを記憶する記憶部と、前記要求情報に基づいて当該要求情報の送信元の端末装置を識別し、前記権限データに基づいて前記送信元の端末装置の前記個別画像のサイズ変更の許否判定を行う判定部と、前記許否判定と、前記画像情報とに基づいて前記個別画像を拡大し、縮小し、あるいは、変化させずに合成画像を生成する画像生成部と、を含むことを特徴とする。
【０００６】
また、本発明に係る表示システムは、複数の端末装置と、表示装置とを含む表示システムにおいて、前記表示装置は、前記複数の端末装置から個別画像を示す画像情報と、前記個別画像のサイズ変更要求を示す要求情報とを受信する表示側通信部と、各端末装置の前記個別画像のサイズ変更に対する許否権限を示す権限データを記憶する記憶部と、前記要求情報に基づいて当該要求情報の送信元の端末装置を識別し、前記権限データに基づいて前記送信元の端末装置の前記個別画像のサイズ変更の許否判定を行う判定部と、前記許否判定と、前記画像情報とに基づいて前記個別画像を拡大し、縮小し、あるいは、変化させずに合成画像を生成する画像生成部と、前記合成画像を表示する表示部と、を含み、前記端末装置は、前記画像情報を生成する画像情報生成部と、前記要求情報を生成する要求情報生成部と、前記画像情報および前記要求情報を前記表示装置へ向け送信する端末側通信部と、を含むことを特徴とする。
【０００７】
また、本発明に係るプログラムは、表示側通信部と、記憶部とを制御するコンピューターに、複数の端末装置から個別画像を示す画像情報と、前記個別画像のサイズ変更要求を示す要求情報とを前記表示側通信部に受信させるステップと、各端末装置の前記個別画像のサイズ変更に対する許否権限を示す権限データを前記記憶部に記憶させるステップと、前記要求情報に基づいて当該要求情報の送信元の端末装置を識別し、前記権限データに基づいて前記送信元の端末装置の前記個別画像のサイズ変更の許否判定を行うステップと、前記許否判定と、前記画像情報とに基づいて前記個別画像を拡大し、縮小し、あるいは、変化させずに合成画像を生成するステップと、を実行させることを特徴とする。
【０００８】
また、本発明に係る情報記憶媒体は、表示側通信部と、記憶部とを制御するコンピューターにより読み取り可能なプログラムを記憶した情報記憶媒体であって、上記プログラムを記憶したことを特徴とする。
【０００９】
本発明によれば、表示装置は、複数の端末装置からの個別画像を表示する場合に、端末装置からの要求情報を受信するとともに、権限データを用いて各端末の権限を判定することにより、端末装置からの指示と当該端末装置の権限に応じて個別画像のサイズを変更することができる。
【００１０】
また、前記権限データは、前記送信元の端末装置以外の他端末装置の前記個別画像に対するサイズ変更の許否権限を示すデータを含み、前記判定部は、前記送信元の端末装置から前記他端末装置の前記個別画像に対するサイズ変更の要求があった場合、前記権限データに基づいて前記送信元の端末装置による当該他端末装置の前記個別画像のサイズ変更の許否判定を行ってもよい。
【００１１】
これによれば、表示装置は、送信元の端末装置が他端末装置の個別画像に対する変更要求を行った場合であっても、適切に権限を判定して個別画像のサイズを変更することができる。
【００１２】
また、前記表示装置は、更新部を含み、前記記憶部は、前記合成画像における各個別画像の領域を示す領域データを記憶し、前記更新部は、前記許否判定と、前記サイズ変更要求とに応じて前記領域データにおける変更対象の個別画像の領域を更新し、あるいは、更新せず、前記画像生成部は、前記領域データに基づいて前記合成画像を生成してもよい。
【００１３】
これによれば、表示装置は、領域データを記憶することにより、より柔軟に個別画像のサイズ変更要求に対応することができる。
【発明を実施するための最良の形態】
【００１４】
以下、本発明をプロジェクターに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１５】
（第１の実施例）
図１は、第１の実施例における表示システムを示す図である。本実施例では、表示装置の一種であるプロジェクター１００が、ＬＡＮ３００を介して５台のＰＣ２００−１〜２００−５と接続されているものとする。なお、ＰＣ２００は端末装置の一種である。
【００１６】
プロジェクター１００は、各ＰＣ２００から個別画像を示す画像情報を受信してＰＣ２００ごとの個別画像を含む合成画像を生成して投写する。さらに、プロジェクター１００は、ＰＣ２００からの要求とユーザーの権限に応じて合成画像内の個別画像を拡大し、縮小し、あるいは、変化させない機能を有する。次に、このような機能を有するプロジェクター１００の機能ブロックについて説明する。
【００１７】
図２は、第１の実施例におけるプロジェクター１００の機能ブロック図である。プロジェクター１００は、ＰＣ２００との通信を行う表示側通信部１１０と、種々の判定を行う判定部１３０と、ユーザーデータ１４２、領域データ１４４等を記憶する記憶部１４０と、ユーザーデータ１４２等を更新する更新部１２０と、合成画像等を生成する画像生成部１５０と、合成画像等を投写する投写部（表示部）１６０を含んで構成されている。
【００１８】
なお、プロジェクター１００は、これらの各部の機能を、以下のハードウェアを用いて実装してもよい。例えば、プロジェクター１００は、表示側通信部１１０はＬＡＮボード等、更新部１２０、判定部１３０はＣＰＵ等、記憶部１４０はＲＡＭ等、画像生成部１５０は画像処理回路等、投写部１６０はランプ、液晶パネル、液晶駆動回路、レンズ等を用いて実装してもよい。
【００１９】
また、プロジェクター１００は、更新部１２０等の機能を情報記憶媒体１９０に記憶されたプログラムを読み取って実装してもよい。このような情報記憶媒体１９０としては、例えば、ＣＤ−ＲＯＭ、ＤＶＤ−ＲＯＭ、ＲＯＭ、ＲＡＭ、ＨＤＤ等を適用できる。
【００２０】
ここで、ユーザーデータ１４２と領域データ１４４についてより詳細に説明する。図３は、第１の実施例におけるユーザーデータ１４２の一例を示す図である。ユーザーデータ１４２は各ＰＣ２００の状態を示すデータ、各ＰＣ２００の権限を示す権限データ等を含む。ユーザーデータ１４２の項目としては、例えば、識別番号、端末名、状態、自己更新権限、他者更新権限等が該当する。なお、自己更新権限は、自分（例えば、ユーザーＡ）の個別画像に対する更新権限を示し、他者更新権限は、他者の個別画像に対する（例えば、ユーザーＡによるユーザーＢに対する）更新権限を示し、これらのデータが権限データに該当する。
【００２１】
例えば、図３に示す例では、端末名が「ＰＣ＿１」のＰＣ２００−１は、自分の個別画像も他者の個別画像も更新することができ、端末名が「ＰＣ＿２」のＰＣ２００−２は、自分の個別画像も他者の個別画像も更新することができない。
【００２２】
図４は、第１の実施例における領域データ１４４の一例を示す図である。領域データ１４４の項目としては、例えば、識別番号、左上座標、幅、高さ等が該当する。ここで、本実施例での画像における座標等について説明する。
【００２３】
図５は、第１の実施例における画像の領域を示す模式図である。本実施例では画像を縦横それぞれ２４分割して５７６個の領域に区分している。したがって、最大の幅は２４であり、最大の高さも２４である。画像の１番左上の領域の左上座標を（０，０）とし、画像の１番右下の領域の左上座標を（２３，２３）としている。
【００２４】
図４に示す領域データ１４４の例では、画像全体が横（Ｘ）に３分割、縦（Ｙ）に２分割され、識別番号１の個別画像が左上、識別番号２の個別画像が中央上、識別番号３の個別画像が右上、識別番号４の個別画像が左下、識別番号５の個別画像が中央下に配置されることになる。
【００２５】
次に、ＰＣ２００の機能ブロックについて説明する。図６は、第１の実施例におけるＰＣ２００の機能ブロック図である。ＰＣ２００は、プロジェクター１００と通信を行う端末側通信部２１０と、画像情報を生成する画像情報生成部２２０と、個別画像のサイズ変更要求を示す要求情報を生成する要求情報生成部２３０と、操作部２４０を含んで構成されている。
【００２６】
なお、ＰＣ２００は、これらの各部の機能を、以下のハードウェアを用いて実装してもよい。例えば、ＰＣ２００は、端末側通信部２１０はＬＡＮボード等、画像情報生成部２２０、要求情報生成部２３０はＣＰＵ等、操作部２４０はキーボード、マウス等を用いて実装してもよい。
【００２７】
次に、プロジェクター１００における合成画像の生成手順について説明する。図７は、第１の実施例における合成画像の生成手順を示すフローチャートである。また、図８は、第１の実施例における初期状態の合成画像４００を示す図である。
【００２８】
上述したように、５台のＰＣ２００がプロジェクター１００に接続されている場合、初期状態では、合成画像４００は６等分され、ＰＣ２００−１の個別画像４１０−１が左上、ＰＣ２００−２の個別画像４１０−２が中央上、ＰＣ２００−３の個別画像４１０−１が右上、ＰＣ２００−４の個別画像４１０−２が左下、ＰＣ２００−５の個別画像４１０−５が中央下に配置されている。
【００２９】
各ＰＣ２００の画像情報生成部２２０は、ＰＣ２００で表示中の画像をキャプチャして当該画像を示す画像情報を生成し、端末側通信部２１０は、当該画像情報を、ＬＡＮ３００を介してプロジェクター１００へ向け送信する。
【００３０】
また、例えば、ＰＣ２００−１のユーザーは、操作部２４０を用いて自己の個別画像４１０−１の拡大要求操作を行う。この場合、要求情報生成部２３０は、当該操作に応じて要求情報を生成し、端末側通信部２１０は、当該要求情報を、ＬＡＮ３００を介してプロジェクター１００へ向け送信する。
【００３１】
なお、要求情報は、例えば、送信先（例えば、プロジェクター１００のＩＰアドレス等）、送信元（例えば、ＰＣ２００−１のＩＰアドレス、識別番号、端末名等）、要求種別（例えば、拡大、縮小、削除等）、対象（例えば、自己の個別画像４１０−１、他者の個別画像４１０−３等）等を示す情報であってもよい。
【００３２】
プロジェクター１００の表示側通信部１１０は、各ＰＣ２００から画像情報を受信する（ステップＳ１）。判定部１３０は、表示側通信部１１０がＰＣ２００から要求情報を受信したかどうかを判定する（ステップＳ２）。
【００３３】
要求情報が受信された場合、判定部１３０は、当該要求情報に含まれる送信元および対象の情報と、ユーザーデータ１４２を参照して対象の個別画像４１０の更新権限があるかどうかを判定する（ステップＳ３）。
【００３４】
例えば、図３に示すユーザーデータ１４２の場合において、ＰＣ２００−３は、自己の個別画像４１０−３の更新権限はあるが、他者の個別画像４１０−１、４１０−２、４１０−４、４１０−５の更新権限はない。
【００３５】
更新権限がある場合、更新部１２０は、要求情報の要求種別と対象に応じて領域データ１４４を更新する（ステップＳ４）。
【００３６】
具体的には、例えば、更新部１２０は、以下のアルゴリズムで拡大処理を実行する。まず、更新部１２０は、拡大対象の個別画像４１０の周囲に縦横１以上の空きがある場合、拡大対象の個別画像４１０の縦横を１つ分拡大する。空きがない場合、更新部１２０は、当該個別画像４１０と接している他の個別画像４１０を上下左右に１つ分以上移動して空きができないかを確認する。
【００３７】
当該個別画像４１０と接している他の個別画像４１０を上下左右に１つ分以上移動しても空きができない場合、更新部１２０は、当該個別画像４１０以外の個別画像４１０を上下左右に１つ分以上移動して空きができないかを確認する。空きができる場合、更新部１２０は、移動対象の他の個別画像４１０を移動するとともに、拡大対象の個別画像４１０の縦横を１つ分拡大する。さらに、他の個別画像４１０を移動しても空きができない場合、更新部１２０は、当該個別画像４１０と接している他の個別画像４１０を、縦横の少なくとも一方を１つ分縮小する。
【００３８】
例えば、図８に示す状態で、ＰＣ２００−１のユーザーが自己の個別画像４１０−１の拡大要求を行った場合、合成画像は以下のようになる。図９は、第１の実施例における自己の個別画像４１０を拡大した状態の合成画像４０１を示す図である。図８に示す状態で個別画像４１０−１は、個別画像４１０−２、４１０−４、４１０−５と接している。
【００３９】
この場合、更新部１２０は、個別画像４１０−２、４１０−４、４１０−５の縦横を１つ分小さくし、個別画像４１０−１の縦横を１つ分大きくする。図１０は、図９の場合の領域データ１４４の一例を示す図である。
【００４０】
個別画像４１０−２は左辺が個別画像４１０−１と接し、個別画像４１０−４は上辺が個別画像４１０−１と接し、個別画像４１０−５は左上の頂点が個別画像４１０−１と接している。これらの場合、更新部１２０は、縮小対象の個別画像４１０−２、４１０−４、４１０−５の右下を固定して左上頂点を縦横１つ分内側に移動するように領域データ１４４を更新する。
【００４１】
なお、縮小対象の個別画像４１０の下または右の辺あるいは右下の頂点が拡大対象の個別画像４１０と接している場合、更新部１２０は、縮小対象の個別画像４１０の左上を固定して右下頂点を縦横１つ分内側に移動するように領域データ１４４を更新する。また、縮小対象の個別画像４１０の右上の頂点が拡大対象の個別画像４１０と接している場合、更新部１２０は、縮小対象の個別画像４１０の左下を固定して右上頂点を縦横１つ分内側に移動するように領域データ１４４を更新する。また、縮小対象の個別画像４１０の左下の頂点が拡大対象の個別画像４１０と接している場合、更新部１２０は、縮小対象の個別画像４１０の右上を固定して左下頂点を縦横１つ分内側に移動するように領域データ１４４を更新する。
【００４２】
また、個別画像４１０の縮小要求があった場合、更新部１２０は、更新対象の個別画像４１０の左上頂点を固定して右下頂点が縦横１つ分内側に移動するように領域データ１４４を更新し、他の個別画像４１０は変化させない。
【００４３】
図１１は、第１の実施例における他者の個別画像４１０を縮小した状態の合成画像４０２を示す図である。また、図１２は、図１１の場合の領域データ１４４の一例を示す図である。例えば、ＰＣ２００−１からＰＣ２００−３の縮小要求があった場合、ＰＣ２００−１は個別画像４１０−３の更新権限を有しているため、更新部１２０は、領域データ１４４におけるＰＣ２００−３（個別画像４１０−３）の領域を上述した手法で更新する。これにより、領域データ１４４は図１２に示すデータになり、個別画像４１０−３は図１１に示すように縦横１つ分縮小した状態になる。
【００４４】
なお、表示側通信部１１０は、端末側通信部２１０と定期的に通信を行うことにより、ＰＣ２００との接続状態を監視してもよい。更新部１２０は、表示側通信部１１０によってＰＣ２００との切断が検出された場合、ユーザーデータ１４２における当該ＰＣ２００の状態を切断中に更新する。さらに、この場合、更新部１２０は、領域データ１４４における当該ＰＣ２００の左上座標、幅、高さを空値に更新する。これにより、合成画像４００から当該ＰＣ２００の個別画像４１０が削除される。
【００４５】
また、合成画像４００の表示中において、ユーザーデータ１４２におけるＰＣ２００の状態が切断中から接続中に変化した場合、すなわち、ＰＣ２００がプロジェクター１００との通信を開始した場合、更新部１２０は、合成画像４００における空き領域に入る最大の大きさの領域を確保するように領域データ１４４を更新する。なお、合成画像４００に空き領域がない場合、更新部１２０は、新たな領域として縦横１つ分の領域を確保し、当該領域に接する既存の個別画像４１０の領域を縮小する。
【００４６】
画像生成部１５０は、各ＰＣ２００からの画像情報と、領域データ１４４に基づき、合成画像４００〜４０２を生成し、情報記憶媒体１９０は当該画像を投写する（ステップＳ５）。判定部１３０は、リモートコントローラ等からの操作情報に基づき、終了指示があったかどうかを判定し（ステップＳ６）、終了指示があった場合は一連の処理（ステップＳ１〜Ｓ６）を終了し、終了指示がない場合は一連の処理を続行する。
【００４７】
以上のように、本実施例によれば、プロジェクター１００は、複数のＰＣ２００からの個別画像４１０を表示する場合に、ＰＣ２００からの要求情報を受信するとともに、権限データ（ユーザーデータ１４２）を用いて各ＰＣ２００の権限を判定することにより、ＰＣ２００からの指示と当該ＰＣ２００の権限に応じて個別画像４１０のサイズを変更することができる。
【００４８】
これにより、会議の参加者等の意図と権限に応じた個別画像４１０の拡大縮小等が可能になるため、プロジェクター１００は、プレゼンテーション、授業等の場面に応じてより適切な画像表示を行うことができる。
【００４９】
また、プロジェクター１００は、個別画像４１０の拡大縮小等のメニュー画像（ＯＳＤ画像等）を投写する必要がないため、メニュー画像を投写してプレゼンテーション等を中断しないで済む。これにより、会議の参加者等は、より円滑に会議等を進行することができる。
【００５０】
また、本実施例によれば、権限データは、各ＰＣ２００の他ＰＣ２００の個別画像４１０に対する変更許否権限を示すデータを含むため、プロジェクター１００は、他ＰＣ２００の個別画像４１０に対する変更要求に対しても適切に権限を判定して個別画像４１０のサイズを変更することができる。
【００５１】
また、本実施例によれば、プロジェクター１００は、領域データ１４４を記憶することにより、ＰＣ２００との接続中断、接続再開等があった場合であっても対応することができるため、より柔軟に個別画像４１０のサイズ変更要求に対応することができる。
【００５２】
（その他の実施例）
なお、本発明の適用は上述した実施例に限定されず、種々の変形が可能である。例えば、操作部２４０は、キーボード、マウス等には限定されず、例えば、マイク等であってもよい。判定部１３０は、ＰＣ２００からのマイク入力による音声による操作情報やマイク音声の大きさ等に応じて指示内容を判定してもよい。例えば、判定部１３０は、音量５０〜７０デシベルを基準値として、ＰＣ２００からの音声情報で示される音量が４９デシベル未満であり、この状態が７秒以上継続した場合は縮小要求と判定してもよい。また、判定部１３０は、ＰＣ２００からの音声情報で示される音量が７１デシベルを超えており、この状態が５秒以上継続した場合は拡大要求と判定してもよい。
【００５３】
また、上述した個別画像４１０の拡大縮小等のアルゴリズムは一例を示すものであり、個別画像４１０の拡大縮小方式は上述したアルゴリズムには限定されない。また、拡大縮小の単位となる画像の区分数は縦横２４ずつには限定されず、当該単位は、例えば、２×２画素単位、１×１画素単位等であってもよい。
【００５４】
また、プロジェクター１００は、拡大縮小の度合いをユーザーの要求に応じて変更してもよい。この場合、要求情報が拡大縮小の度合いを示す情報を含んでもよい。また、要求情報は、要求種別として、個別画像４１０に割り当てられた識別番号、端末名、更新権限の確認要求を含んでもよい。例えば、識別番号の確認要求があった場合、画像生成部１５０は、ユーザーデータ１４２または領域データ１４４に基づき、各個別画像４１０の中央等に識別番号を付加した合成画像４００を生成してもよい。これによれば、各ユーザーは、自分や他者がどの個別画像４１０に割り当てられているか確認することができる。
【００５５】
また、上述した実施例では、プロジェクター１００は、切断したＰＣ２００の個別画像４１０を削除し、削除した領域を空き領域にしたが、例えば、他の個別画像４１０を拡大して当該空き領域の少なくとも一部に埋め込んでもよい。
【００５６】
また、端末装置は、ＰＣ２００には限定されず、例えば、携帯電話、ＰＤＡ、ゲーム装置等であってもよい。また、端末装置の台数は５台には限定されず、４台以下でも６台以上でもよい。また、表示装置は、プロジェクター１００には限定されず、例えば、テレビ、液晶モニター等であってもよい。
【００５７】
また、プロジェクター１００は、液晶プロジェクター（透過型、ＬＣＯＳ等の反射型）には限定されず、例えば、ＤＭＤ(Digital Micromirror Device)を用いたプロジェクター等であってもよい。なお、ＤＭＤは米国テキサス・インスツルメンツ社の商標である。また、プロジェクター１００の機能を複数の装置（例えば、ＰＣとプロジェクター等）に分散して実装してもよい。
【図面の簡単な説明】
【００５８】
【図１】第１の実施例における表示システムを示す図である。
【図２】第１の実施例におけるプロジェクターの機能ブロック図である。
【図３】第１の実施例におけるユーザーデータの一例を示す図である。
【図４】第１の実施例における領域データの一例を示す図である。
【図５】第１の実施例における画像の領域を示す模式図である。
【図６】第１の実施例におけるＰＣの機能ブロック図である。
【図７】第１の実施例における合成画像の生成手順を示すフローチャートである。
【図８】第１の実施例における初期状態の合成画像を示す図である。
【図９】第１の実施例における自己の個別画像を拡大した状態の合成画像を示す図である。
【図１０】図９の場合の領域データの一例を示す図である。
【図１１】第１の実施例における他者の個別画像を縮小した状態の合成画像を示す図である。
【図１２】図１１の場合の領域データの一例を示す図である。
【符号の説明】
【００５９】
１００  プロジェクター（表示装置）、１１０  表示側通信部、１２０  更新部、１３０  判定部、１４０  記憶部、１４２  ユーザーデータ（権限データ）、１４４  領域データ、１５０  画像生成部、１６０  投写部（表示部）、１９０  情報記憶媒体、２００  ＰＣ（端末装置）、２１０  端末側通信部、２２０  画像情報生成部、２３０  要求情報生成部、３００  ＬＡＮ、４００〜４０２  合成画像、４１０  個別画像
【図１】
2010096973.tif 000003
【図２】
2010096973.tif 000004
【図３】
2010096973.tif 000005
【図４】
2010096973.tif 000006
【図５】
2010096973.tif 000007
【図６】
2010096973.tif 000008
【図７】
2010096973.tif 000009
【図８】
2010096973.tif 000010
【図９】
2010096973.tif 000011
【図１０】
2010096973.tif 000012
【図１１】
2010096973.tif 000013
【図１２】
2010096973.tif 000014